(57)【特許請求の範囲】
【請求項１】
給水路の途中に筒状のストレーナ収容部材を設け、ストレーナ収容部材の軸方向の端に水抜き用孔を設け、ストレーナ収容部材の周壁に上流側接続口を設け、ストレーナ付き水抜き栓部材を、水抜き用孔に着脱自在に取付けられる水抜き栓と、水抜き栓の一端に取付けたストレーナとで構成し、水抜き栓とストレーナを一直線上に配したものであって、該ストレーナ付き水抜き栓部材を水抜き用孔からストレーナ収容部材内にストレーナから挿入してストレーナ収容部材内に出入自在に収容し、該ストレーナ付き水抜き栓部材のストレーナを、端部に開口部を有する有底筒形状で通過する水に混じったゴミを捕集するためのストレーナ本体部と、ストレーナ本体部の開口部側に設けられ且つストレーナ本体部と反対側の端部を水抜き栓に接続した水取り込み部とで構成し、水取り込み部をストレーナ収容部材の上流側接続口に対向させ、該水取り込み部を上流側接続口からストレーナ収容部材に流入した水を前記開口部を介してストレーナ本体部の内部に導くものとし、ストレーナ収容部材の軸方向において上流側接続口からみて水抜き用孔とは反対側に、ストレーナ本体部の内部からストレーナ本体部を通って外部に流出した水が流れ込む下流側接続口を設けて成ることを特徴とするストレーナ収容部材を備えた給水構造。
【請求項２】
上記水抜き栓に対してストレーナを着脱自在に取付けて成ることを特徴とする請求項１記載のストレーナ収容部材を備えた給水構造。
【請求項３】
給水源と温水洗浄装置とを接続する給水路の途中にストレーナ収容部材を設け、ストレーナ付き水抜き栓部材にストレーナ収容部材の下流側接続口に収容できる逆流防止弁を着脱自在に取付けて成ることを特徴とする請求項１又は２記載のストレーナ収容部材を備えた給水構造。
【請求項４】
上記水抜き栓を水抜き用孔に回転操作により着脱自在に取付けられるものとし、該水抜き栓のストレーナ収容部材から外部に露出する部分に回転中心から径方向に伸びる形状を有しコイン等の幅広の固着用治具を引掛けることができる引掛け溝を形成し、該引掛け溝の中心部をマイナスドライバー等の幅狭の固着用治具の幅よりも大きな直径を有する円形状に形成したことを特徴とする請求項１乃至３のいずれかに記載のストレーナ収容部材を備えた給水構造。
【発明の詳細な説明】
【０００１】
【発明の属する技術分野】
本発明は、ストレーナ収容部材を備えた給水構造に関するものである。
【０００２】
【従来の技術】
従来から給水構造として、例えば給水源と温水洗浄装置とを接続する給水路の途中にストレーナを収容するストレーナ収容部材を有したものが知られている。この従来のストレーナ収容部材を備えた給水構造は、ストレーナ収容部材に水抜き用孔を設けてあり、この水抜き用孔には水抜き栓を着脱自在に設けている。ストレーナ収容部材内部には水抜き栓とは別部材であるゴミを捕集するためのストレーナが配置されている。また、水抜き栓のストレーナ収容部材の外部に露出する部分にはコインを引掛けることができ、コインの回転操作によって水抜き栓を着脱自在とするための引掛け溝が形成されており、この引掛け溝は水抜き栓の回転中心を通り径方向に伸びる溝形状を有している。
【０００３】
上記構成によって、給水源側の給水路からストレーナ収容部材に流入した水はストレーナの外部よりストレーナの内部へと流入し、これによって水に混じったゴミをストレーナによって捕集し、温水洗浄装置にゴミ混じりの水が入り込むことを防止している。またストレーナをメンテナンスするために取り出す場合は、水抜き栓の直線状の引っ掛け溝にコインを嵌め込み、コインの回転操作によって水抜き用孔から水抜き栓を取り外して、ストレーナ収容部材内のストレーナを取り出すことができる状態とし、この開放された水抜き用孔から棒等のストレーナを引っ掛けるものを入れることでストレーナを取り出す。また気温の低い場合は給水路の凍結を防止するために、給水路内の水抜きを行わなければならないのだが、上記従来の給水構造では、水抜き用孔から水抜き栓を取り外すことで給水路の水抜きを行っている。
【０００４】
しかしながら、このような従来の給水構造では、水抜き栓とストレーナとは別部材であるので、ストレーナのメンテナンスをする際に、水抜き用孔から水抜き栓を取り外した後、ストレーナを取り出さなければならず、またストレーナの取り出しは水抜き用孔から棒等のストレーナを引掛けるものを入れて取り出さなければならないため、作業に手間がかかっていた。また上記したようにストレーナによるゴミの捕集をストレーナの外部から内部へ向けて水を通すことで行うため、捕集したゴミがストレーナの外面に付着し、このゴミがストレーナ収容部材の内面に落ちてしまい、ストレーナを取り出してもストレーナ収容部材内のゴミを取り除くことができず、再度ストレーナをストレーナ収容部材に収容する際にゴミが障害となり、ストレーナが入らないことがあった。また水抜き栓の着脱は径方向に伸びる引掛け溝にコインを嵌め込んで回転操作により行うのだが、誤ってマイナスドライバー等のコインよりも幅狭の固着用治具を使用して水抜き栓の着脱を行ってしまった場合、引っ掛け溝を潰してしまい、コインを係合できない状態となってしまい、水抜き栓をストレーナ収容部材から取り外すことができなくなるといった問題があった。
【０００５】
また上記とは別にストレーナ収容部材の温水洗浄装置側の接続口付近に上記水抜き栓及びストレーナとは別部材である逆流防止弁を嵌め込んで取付けてある給水構造が知られており、これによって温水洗浄装置側の給水路からストレーナ収容部材内へと水が逆流することを防止している。しかし、逆流防止弁はストレーナ収容部材に嵌め込んで取付けているため、一般使用者にとってはストレーナ収容部材から逆流防止弁を取り出すことは困難であり、これによって温水洗浄装置側の給水路の水抜きが行えなくなってしまい、温水洗浄装置側の給水路内の水が凍結し、給水路が破損したり、給水路に接続されている温水洗浄装置の弁や逆流防止弁が故障するなどの問題が生じていた。
【０００６】
【発明が解決しようとする課題】
本発明は上記の点に鑑みてなされたものであり、その目的とするところは、ストレーナ収容部材からのストレーナの取り外しを容易にすると共に、ストレーナ収容部材の内面にストレーナで捕集したゴミが付着することを防止し、さらに逆止弁の取付けを容易にし、またコイン等の幅広の固着用治具とは異なるマイナスドライバー等の幅狭の治具によって水抜き栓を取り外すことができないようにしたストレーナ収容部材を備えた給水構造を提供することを課題とするものである。
【０００７】
【課題を解決するための手段】
上記課題を解決するために本発明に係るストレーナ収容部材を備えた給水構造は、給水路１の途中に筒状のストレーナ収容部材２を設け、ストレーナ収容部材２の軸方向の端に水抜き用孔３を設け、ストレーナ収容部材２の周壁に上流側接続口１９を設け、ストレーナ付き水抜き栓部材２０を、水抜き用孔３に着脱自在に取付けられる水抜き栓４と、水抜き栓４の一端に取付けたストレーナ５とで構成し、水抜き栓４とストレーナ５を一直線上に配したものであって、該ストレーナ付き水抜き栓部材２０を水抜き用孔３からストレーナ収容部材２内にストレーナ５から挿入してストレーナ収容部材２内に出入自在に収容し、該ストレーナ付き水抜き栓部材２０のストレーナ５を、端部に開口部を有する有底筒形状で通過する水に混じったゴミを捕集するためのストレーナ本体部７と、ストレーナ本体部７の開口部６側に設けられ且つストレーナ本体部７と反対側の端部を水抜き栓４に接続した水取り込み部８とで構成し、水取り込み部８をストレーナ収容部材２の上流側接続口１９に対向させ、該水取り込み部８を上流側接続口１９からストレーナ収容部材２に流入した水を前記開口部６を介してストレーナ本体部７の内部に導くものとし、ストレーナ収容部材２の軸方向において上流側接続口１９よりも水抜き用孔３とは反対側に、ストレーナ本体部７の内部からストレーナ本体部７を通って外部に流出した水が流れ込む下流側接続口１８ａを設けて成ることを特徴とするものである。
【０００８】
このようにストレーナ付き水抜き栓部材２０にストレーナ５を構成することで、水抜き栓４と一緒にストレーナ５をストレーナ収容部材２から外部に取り出すことができ、さらに給水路１からストレーナ収容部材２に流入した水をストレーナ本体部７内部に導く水取り込み部８を設けることで、ゴミはストレーナ５の内面に付着し、ストレーナ収納部材２の内面にゴミが付着することを防止することができる。
【０００９】
また請求項２記載の給水構造は請求項１記載のストレーナ収容部材を備えた給水構造において、上記水抜き栓４に対してストレーナ５を着脱自在に取付けて成ることを特徴とするものである。
【００１０】
このように、水抜き栓４に対してストレーナ５を着脱自在に取付けることで、水抜き栓４からストレーナ５を取り外して、ストレーナ５の開口部からストレーナ５の内側に捕集されたゴミを取り除くことができる。
【００１１】
また請求項３記載の給水構造は請求項１又は請求項２記載のストレーナ収容部材を備えた給水構造において、給水源と温水洗浄装置とを接続する給水路１の途中にストレーナ収容部材２を設け、ストレーナ付き水抜き栓部材２０にストレーナ収容部材２の下流側接続口に収容できる逆流防止弁９を着脱自在に取付けて成ることを特徴とするものである。
【００１２】
このように構成することで、ストレーナ付き水抜き栓部材２０をストレーナ収容部材２から取り出すだけで、水抜き栓４及びストレーナ５と一緒に逆流防止弁９をストレーナ収容部材２から取り出すことができ、またこれによってストレーナ収容部材２よりも下流側の給水路１の水抜きを行えるようになり、さらに逆流防止弁９をストレーナ付き水抜き栓２０から取り外して、逆流防止弁９の内部の水抜きを容易に行うことができる。
【００１３】
また請求項４記載の給水構造は請求項１〜３記載のストレーナ収容部材を備えた給水構造において、上記水抜き栓４を水抜き用孔３に回転操作により着脱自在に取付けられるものとし、該水抜き栓４のストレーナ収容部材２から外部に露出する部分に回転中心から径方向に伸びる形状を有しコイン等の幅広の固着用治具１０を引掛けることができる引掛け溝１１を形成し、該引掛け溝１１の中心部４９をマイナスドライバー等の幅狭の固着用治具１２の幅よりも大きな直径を有する円形状に形成したことを特徴とするものである。
【００１４】
このように引掛け溝１１の回転中心部４９を円形状に形成することで、誤ってコイン等の固着用治具１０とは異なるマイナスドライバー等の幅狭の固着用治具１２を引掛け溝１１の中心に差し込んで水抜き栓４を回転操作しようとしても、マイナスドライバー等の幅狭の固着用治具１２は引掛け溝１１に引っ掛からず空回りすることとなり、マイナスドライバー等の幅狭の固着用治具１２の回転によって引掛け溝１１の形状を潰してしまうことを防止することができる。
【００１５】
【発明の実施の形態】
以下、本発明を添付図面に示す実施形態に基づいて説明する。
【００１６】
なお以下に示す実施形態では給水源と温水洗浄装置とを接続する給水路１の途中にストレーナ収容部材２を設けた給水構造について説明しているが、給水路１の下流に接続される機器は温水洗浄装置に限定されず、その他の機器であっても良いものである。
【００１７】
給水源と温水洗浄装置とを連通接続する給水路１の途中には図１に示すようなストレーナ付き水抜き栓２０を収容するストレーナ収容部材２を設けている。このストレーナ収容部材２は一端部に底部５４を有する有底筒状の円筒部５３で主体を構成している。底部５４には円筒部５３内部と連通する下流側接続口１８ａが設けられており、下流側接続口１８ａには温水洗浄装置とストレーナ収容部材２とを接続する温水洗浄装置側配管１ａを接続している。円筒部５３の他端部の開口は水抜き用孔３となり、水抜き用孔３の内周壁には水抜き栓用雌ねじ部１７が形成されている。水抜き用孔３の内周壁の外側端部には内径を大きくした段１５が周設されている。円筒部５３の周壁の軸方向における中央付近には円筒部５３内部と連通する下流側接続口１８ｂを設けており、この下流側接続口１８ｂにはストレーナ収容部材２とロータンクとを接続するロータンク側配管１ｃが接続されている。上記温水洗浄装置側配管１ａとロータンク側配管１ｃとで下流側の給水路１を構成している。円筒部５３の軸方向における下流側接続口１８ｂよりも水抜き用孔３寄りで且つ水抜き栓用雌ねじ部１７よりも底部５４寄りの箇所には上流側接続口１９を設けており、上流側接続口１９には上流側の給水路１に相当する給水源とストレーナ収容部材２とを接続する給水源側配管１ｂが接続されている。
【００１８】
次に上記の水抜き用孔３からストレーナ収容部材２に着脱自在に取付けられるストレーナ付き水抜き栓部材２０について説明する。図１、２に示すようにストレーナ付き水抜き栓部材２０は、水抜き用孔３に着脱自在に取付けられる水抜き栓４と、水抜き栓４に着脱自在に取付けられるストレーナ５とで構成されている。
【００１９】
図３にストレーナ収容部材２の水抜き用孔３に着脱自在に取付けられるストレーナ付き水抜き栓部材２０の水抜き栓４を示す。水抜き栓４は前述した段１５の内径と略同じ径を有する大径部２１と、大径部２１の一端部に一体に接続され前述した円筒部５３の水抜き栓用雌ねじ部１７に螺合する水抜き栓雄ねじ部１６とで構成されている。大径部２１は水抜き栓雄ねじ部１６よりもやや径が大きく形成されており、大径部２１の外周面には全周に亘ってＯリング溝２２ａが周設されている。Ｏリング溝２２ａにはＯリング２３ａを収容している。水抜き栓雄ねじ部１６の大径部２１と反対側の面（一端面）の径方向における外周よりもやや内側の位置には大径部２１と反対側に突出する突出片２４が２本設けられている。夫々の突出片２４の先端には係合爪２６ａが設けられている。
【００２０】
水抜き栓４の大径部２１の水抜き栓雄ねじ部１６と反対側の面には、図４に示すように回転中心を通り径方向に伸びる引掛け溝１１を形成しており、該引掛け溝１１は図５に示すようにコイン等の幅広の固着用治具１０を引掛けることができるようになっている。引掛け溝１１の中心部４９（水抜き栓の軸芯）は通常使用されているマイナスドライバー等の幅狭の固着用治具１２の幅よりも大きな直径を有する円形状に形成されている。大径部２１の径方向における外端部と引掛け溝１１の周縁部とを除いた部分には図４に示すように外溝３２が形成されている。
【００２１】
上記水抜き栓４に着脱自在に取付けられるストレーナ５は図６に示すように水中のゴミを捕集することができるストレーナ本体部７と、給水源側配管１ｂからストレーナ収容部材２に流入した水を開口部６を介してストレーナ本体部７内部に導く水取り込み部８とで構成してある。
【００２２】
ストレーナ本体部７は一端部に底面を有した有底筒形状を有しており、ストレーナ本体部７の底面と反対側（他端部側）の開口はストレーナ収容部材２に収容した際に上流側接続口１９よりも下流側に位置する開口部６となる。ストレーナ本体部７の底面側の端部（一端部）の外周面には環状片２９ａが設けられており、環状片２９ａの周方向における一部から水取り込み部８（他端部）側に突出する補強片３０が複数設けられており、各補強片３０の幅は前述したロータンク側配管１ｃに接続される下流側接続口１８ｂよりも短くなるように形成されており、補強片３０が下流側接続口１８ｂに対向する位置に配置されたとしても、補強片３０によって下流側接続口１８ｂが塞がることはない。各補強片３０の先端にはストレーナ本体部７の開口部６側端部（他端部）の外周を覆う環状片２９ｂが設けられており、この環状片２９ｂの外周にはＯリング２３ｂを収容できるＯリング溝２２ｂが設けられている。このＯリング溝２２ｂにはＯリング２３ｂが収容されている。
【００２３】
ストレーナ本体部７の開口部６側の環状片２９ｂのストレーナ本体部７と反対側の面には水取り込み部８が設けられている。水取り込み部８は前述した開口部６側の環状片２９ｂの周方向における一部から補強片３０と反対側に突出する複数の接続片３６と、各接続片３６の先端を接続し前述した水抜き栓４の係合爪２６ａが着脱自在に係合される環状体２８ａとで構成されている。各接続片３６の幅は前述したストレーナ収容部材２の上流接続口１９よりも短くなるように形成されており、接続片３６が上流側接続口１９に対向する位置に配置されたとしても、上流側接続口１９が閉塞することはない。また各接続片３６と、環状体２８ａと、ストレーナ本体部７の一端部側の環状片２９ａとで囲まれた部分には通水孔３７を複数形成している。
【００２４】
上記の水抜き栓４とストレーナ５とは水抜き栓４の係合爪２６ａをストレーナ５の環状体２８ａに係合させることで着脱自在に接続され、ストレーナ付き水抜き栓部材２０となる。上記の接続によって水抜き栓４とストレーナ５とは一直線上に位置することとなり、ストレーナ収容部材２の円筒部５３の軸線上に収容可能となる。
【００２５】
このストレーナ付き水抜き栓部材２０をストレーナ収容部材２内部に収容する場合は、ストレーナ収容部材２の水抜き用孔３にストレーナ付き水抜き栓部材２０のストレーナ５から挿入し、ストレーナ収容部材２の水抜き栓用雌ねじ部１７の水抜き用孔３側端部に水抜き栓４の水抜き栓雄ねじ部１６の先端が位置するまでストレーナ付き水抜き栓部材２０の挿入を進める。この位置で水抜き栓４の引掛け溝１１にコイン等の固着用治具１０を嵌め込み、使用者がコイン等の固着用治具１０を回転操作することで水抜き栓雄ねじ部１６が水抜き栓用雌ねじ部１７に螺合し、水抜き栓４の大径部２１が段１５に当接するまで螺合を進める。上記によってストレーナ付き水抜き栓部材２０をストレーナ収容部材２に取付けることができる。またこの場合、上述したように引掛け溝１１の中心部４９は円形状に形成されているので、図７のように誤ってマイナスドライバー等の幅狭の固着用治具１２を引掛け溝１１の中心に嵌め込んで水抜き栓４を回転させようとしても、通常使用されているマイナスドライバー等の幅狭の固着用治具１２は引掛け溝１１に引っ掛からず空回りすることとなり、マイナスドライバー等の幅狭の固着用治具１２の回転によって引掛け溝１１の形状を潰してしまうことを防止することができる。
【００２６】
上記のようにストレーナ収容部材２に取付けられたストレーナ付き水抜き栓部材２０は、水取り込み部８の通水孔３７がストレーナ収容部材２の上流側接続口１９に対向し、ストレーナ本体部７の外周面がロータンク側配管１３を接続する下流側接続口１８ｂに対向し、ストレーナ本体部７の底面が温水洗浄装置側配管１８ａを接続する下流側接続口１８ａに対向するように配置される。また水抜き栓４のＯリング２３ａによってストレーナ収容部材２内部の水が外部に漏れ出ないようにシールし、ストレーナ５のＯリング２３ｂは上流側接続口１９よりも底部５４側で且つ下流側接続口１８ｂよりも水抜き用孔３側に位置し、Ｏリング２３ｂはストレーナ本体部７の外面とストレーナ収容部材２の内面との間の隙間をシールしている。またこの時、水抜き栓４の大径部２１の水抜き栓雄ねじ部１６と反対側の面（前端面）はストレーナ収容部材２から外部に露出している。
【００２７】
上記のようにストレーナ付き水抜き栓部材２０をストレーナ収容部材２に取付けた状態で、給水源から温水洗浄装置及びロータンクとに給水を行う。上流側接続口１９からストレーナ収容部材２に流入した水は図１に示すように水取り込み部８の通水孔３７を通って、ストレーナ本体部７の開口部６からストレーナ本体部７内部に導かれ、ストレーナ本体部７の内部からストレーナ本体部７を通ってロータンク側配管１ｃと接続される下流側接続口１８ｂへと流れる流れと、温水洗浄装置側配管１ａと接続される下流側接続口１８ａへと流れる流れとに分かれる。ロータンク側配管１ｃと接続される下流側接続口１８ｂへと流れた水はそのままロータンク側開口１８を通って、ロータンク側配管１３へと入り、ロータンクに水を供給する。一方温水洗浄装置側配管１ａと接続される下流側接続口１８ａへと流れた水は温水洗浄装置側配管１ａに流れ込み、温水洗浄装置に水を供給する。この場合ストレーナ本体部７を通る水の流れはストレーナ本体部７の内部から外部へと流れるものであるため、水に含まれたゴミは全てストレーナ本体部７の内部に溜まることとなり、ストレーナ収容部材２の内面へのゴミの付着を防止することができる。
【００２８】
温水洗浄装置側配管１ａ及び給水源側配管１ｂ及びロータンク側配管１ｃの水抜きを行う場合は、給水源側配管１ｂに設けた開閉弁（図示せず）を閉め、その後ストレーナ収容部材２からストレーナ付き水抜き栓部材２０を取り外し、水抜き栓４の引掛け溝１１にコイン等の固着用治具１０を嵌め込み、使用者がコイン等の固着用治具１０を前述した取付けの際と反対側に回転操作することで、ストレーナ付き水抜き栓部材２０の水抜き栓雄ねじ部１６とストレーナ収容部材２の水抜き栓用雌ねじ部１６との螺合を解除し、ストレーナ収容部材２からストレーナ付き水抜き栓部材２０を引き抜く。この時、水抜き栓４とストレーナ５とを一緒にストレーナ収容部材２から取り外すことができるため、ストレーナ５を容易に取り外すことができる。また前述したようにストレーナ収容部材２の内面へのゴミの付着を防止できるため、ストレーナ収容部材２からストレーナ付き水抜き栓２０を出し入れする際に内面に付着したゴミが邪魔にならず、出し入れを容易にしている。上記のようにストレーナ収容部材２からストレーナ付き水抜き栓部材２０を取り外すことで、ストレーナ収容部材２の水抜き用孔３は外部と連通し、この水抜き用孔３から温水洗浄装置側配管１ａ及び給水源側配管１ｂ及びロータンク側配管１ｃの水抜きを行うことができる。
【００２９】
このように取り出したストレーナ付き水抜き栓部材２０のストレーナ５の内側を掃除する場合は、水抜き栓４に対してストレーナ５が着脱自在となっているため、水抜き栓４からストレーナ５を取り外し、ストレーナ５の開口部６からブラシ等を入れて容易に掃除することができる。
【００３０】
また、上記とは別の実施形態を図８に示す。なお上記実施形態と同一の構成については同一の番号を付与してあり、重複する説明については説明を省略する。
【００３１】
本実施形態においては、ストレーナ付き水抜き栓部材２０にストレーナ収容部材２の温水洗浄装置側配管１ｂに接続される下流側接続口１８ａ付近に収容できる逆流防止弁９を着脱自在に取付けたものをストレーナ収容部材２に収容する。具体的にはストレーナ５のストレーナ本体部７の開口部６と反対側の環状片２９ａに補強片３０と反対側に突出する連結片３５を設け、連結片３５の先端に連結片３５同士を環状に接続する環状体２８ｂを設ける。これによって環状体２８ｂとストレーナ本体部７の環状片２９ａとは連結片３５によって接続している。
【００３２】
このストレーナ５の環状体２８ｂには例えば以下の構成を有する逆流防止弁９が着脱自在に取付けられる。逆流防止弁９は一端部に底板４０を有し他端部に開口を有する有底円筒状の基体部３８と、基体部３８の一端部（開口部）の内周面に着脱自在に取付けられるストレーナ取付け部３９とで構成されている。基体部３８の一端部の内周面には逆流防止弁雌ねじ部４３が設けられている。底板４０の他側面にはばね４４が設けられており、ばね４４の先端に取付けられた弁４５に他側方に向けて弾性力を付与している。底板４０には出水孔４６が設けられている。基体部３８の外周側面にはＯリング溝２２ｃが周設されている。このＯリング溝２２ｃにはＯリング２３ｃが配設されている。
【００３３】
ストレーナ取付け部３９は一端部に底壁５２を有する略有底円筒状に形成されており、底壁５２と反対側には開口を有している。ストレーナ取付け部３９の底壁５２には入水孔４７が設けてある。ストレーナ取付け部３９の一端部の外周面には前述した逆流防止弁雌ねじ部４３に螺合される逆流防止弁雄ねじ部４２が螺刻されている。ストレーナ取付け部３９の開口の周縁部の周方向における一部には底壁５２と反対側（他側方）に突出する突起片５０が設けられており、突起片５０の先端には上述した環状体２８ｂに係合できる係合爪２６ｂが設けられている。
【００３４】
上記ストレーナ取付け部３９を基体部３８に取付ける場合は、ストレーナ取付け部３９の逆流防止弁雄ねじ部４２を基体部３８の逆流防止弁雌ねじ部４３にねじ込むことによって行われる。このように取付けることで、基体部３８とストレーナ取付け部３９とに囲まれた連絡室５１を有する逆流防止弁９を形成する。また逆流防止弁９のばね４４に取付けられた弁４５のストレーナ取付け部３９側（他側）の面は初期状態において入水孔４７を閉塞しており、弁４５には他側方に向かう弾性力がばね４４によって付与されている。逆に基体部３８からストレーナ取付け部３９を取り外す場合は、逆流防止弁雄ねじ部４２を逆流防止弁雌ねじ部４３に対して上記とは逆に回転することで行われる。このようにストレーナ取付け部３９と基体部３８とは着脱自在となっている。
【００３５】
上記逆流防止弁９をストレーナ付き水抜き栓部材２０に接続する場合は、逆流防止弁９の係合爪２６ｂをストレーナ５の環状体２８ｂに係合させる。このようにして接続された水抜き栓４、ストレーナ５、逆流防止弁９とは一直線上に配置されることとなり、ストレーナ収容部材２の軸線上に収容可能となる。
【００３６】
上記の逆流防止弁９を接続したストレーナ付き水抜き栓部材２０をストレーナ収容部材２に収容した場合は以下のように配置されるよう設定されている。逆流防止弁９はストレーナ収容部材２の温水洗浄装置側配管１ａに接続される下流側接続口１８ａ付近に配置され、フランジ４８の一側面がストレーナ収容部材２の底部５４の水抜き用孔３側の面に当接している。また逆流防止弁９のＯリング２３ｃによって、逆流防止弁９の外周面とストレーナ収容部材２の内面との隙間をシールしている。
【００３７】
上記のように逆流防止弁９を接続したストレーナ付き水抜き栓２０をストレーナ収容部材２に収容し、給水源から温水洗浄装置とロータンクとに給水を行う。給水時は逆流防止弁９の弁４５は逆流防止弁９の上流側の水圧によりばね４４に抗して一側方に移動し、入水孔４７は開いた状態となる。上流側接続口１９よりストレーナ収容部材２に流入した水の流れは、水取り込み口８の通水孔３７を通って、ストレーナ体２８の開口部６から内部に導かれ、ストレーナ体２８の内部からストレーナ体２８通ってロータンク側開口１８へと流れる流れと、逆流防止弁９の入水孔４７へと流れる流れとに分かれる。逆流防止弁９側へと流れた水は、ストレーナ取付け部３９の開口を通って入水孔４７から逆流防止弁９内部の連絡室５１に入り、出水孔４６から温水洗浄装置側給水管１ａを接続した下流側接続口１８ａへと流れ込み、温水洗浄装置側給水管１ａを通って温水洗浄装置に水を供給する。
【００３８】
また給水源からストレーナ収容部材２に水が供給されなくなった場合は、逆流防止弁９の上流側の水圧が下がるため、逆流防止弁の弁４５はばね４４の弾性力によってストレーナ取付け部３９の底板４０に当接し、入水孔４７を閉塞した状態になる。これによって温水洗浄装置側給水管１ａからストレーナ収容部材２内への逆流を防止することができる。
【００３９】
逆流防止弁９を接続したストレーナ付き水抜き栓部材２０をストレーナ収容部材２から取り出す場合は、上記実施形態と同様にして行う。本実施形態においては、水抜き栓４とストレーナ５と逆流防止弁９とを一緒にストレーナ収容部材２から取り出すことができるため、逆流防止弁９をストレーナ収容部材２から容易に取り出すことができる。また水抜き栓４及びストレーナ５と一緒に逆流防止弁９もストレーナ収容部材２から取り外すことができるため、温水洗浄装置側配管１ａの水抜きを容易に行え、温水洗浄装置側配管１ａの凍結を防止することができる。
【００４０】
また、前述したようにストレーナ付き水抜き栓部材２０に対して逆流防止弁９は着脱自在となっているため、ストレーナ付き水抜き栓部材２０から逆流防止弁９を取り外して、逆流防止弁９の内部である連絡室５１に溜まった水も容易に抜くことができる。さらに逆流防止弁９の基体部３８とストレーナ取付け部３９とは着脱自在に取り付けられているため、基体部３８からストレーナ取付け部３９を取り外すことで、基体部３８の開口が外部に開放し、より一層容易に逆流防止弁９の内部の水を抜くことができるものである。
【００４１】
【発明の効果】
上記のように本発明の請求項１記載の発明にあっては、水抜き栓にストレーナを取付けることで、水抜き栓を取り外すだけでストレーナをストレーナ収容部材から外部に容易に取り出すことができ、さらに給水源側の給水管からストレーナ収容部材に流入した水をストレーナ本体部内部に導く水取り込み部を設けることで、ゴミはストレーナの内側にのみ付着し、ストレーナ収納部の内面へのゴミの付着を防止することができ、ストレーナ収容部材からストレーナ付き水抜き栓を出し入れする際に内面に付着したゴミが邪魔にならず、出し入れを容易にすることができる。
【００４２】
また請求項２記載の発明にあっては、上記請求項１記載の発明の効果に加えて、水抜き栓に対してストレーナを着脱自在に設けたので、水抜き栓からストレーナを取り外すことで、ストレーナの開口部からストレーナの内側に捕集されたゴミを容易に取り除くことができるものである。
【００４３】
また請求項３記載の発明にあっては、上記請求項１又は請求項２記載の発明の効果に加えて、逆流防止弁を水抜き栓に着脱自在に取付けることで、水抜き栓を水抜き用孔から取り外すだけで、逆流防止弁をストレーナ収容部材から取り出すことができ、また上記によって温水洗浄装置側の給水管の水抜きを容易に行うことができ、さらに逆流防止弁を水抜き栓に取付けたストレーナから取り外して、逆流防止弁の内部の水抜きを容易に行うことができる。
【００４４】
また請求項４記載の発明にあっては、上記請求項１〜３記載の発明の効果に加えて、引掛け溝の回転中心部を円形状に形成することで、誤ってマイナスドライバー等の幅狭の固着用治具を引掛け溝の中心に差し込んで水抜き栓を回転操作しようとしても、マイナスドライバー等の幅狭の固着用治具は引掛け溝に引っ掛からず空回りすることとなり、マイナスドライバー等の幅狭の固着用治具の回転によって引掛け溝の形状を潰してしまうことを防止することができる。
【図面の簡単な説明】
【図１】本発明の一実施形態を示す側断面図である。
【図２】同上のストレーナ付き水抜き栓を示す側面図である。
【図３】同上の水抜き栓を示す側面図である。
【図４】同上の水抜き栓の正面図である。
【図５】同上の水抜き栓の着脱作業を示す説明図である。
【図６】同上のストレーナを示す側面図である。
【図７】同上の水抜き栓をマイナスドライバー等の幅狭の固着用治具にて着脱を行った場合を示す説明図である。
【図８】別の実施形態を示す側断面図である。
【符号の説明】
１    給水路
２    ストレーナ収容部材
３    水抜き用孔
４    水抜き栓
５    ストレーナ
６    開口部
７    ストレーナ本体部
８    水取り込み部
９    逆流防止弁
１０  幅広の固着用治具
１１  引掛け溝
１２  幅狭の固着用治具
１９  上流側接続口
２０  ストレーナ付き水抜き栓部材
【図１】
0003885608.tif 000002
【図２】
0003885608.tif 000003
【図３】
0003885608.tif 000004
【図４】
0003885608.tif 000005
【図５】
0003885608.tif 000006
【図６】
0003885608.tif 000007
【図７】
0003885608.tif 000008
【図８】
0003885608.tif 000009